(57)【要約】【課題】  毛の色に応じて適切な光調整を行って皮膚に光照射を行うことができる光照射装置を提供する。【解決手段】  光照射装置は、発光素子駆動回路２５により発光素子を駆動して皮膚に光を照射し、毛の色及び肌の色を検出素子により取得する照射検出部１と、検出素子１２により取得された毛の色及び肌の色に基づいて、発光素子により照射する光を制御する制御部２１とを備える。【選択図】      図４
2013126485.tif 000002
【特許請求の範囲】
【請求項１】
皮膚に光を照射する照射部と、
毛の色及び肌の色を取得する取得部と、
前記取得部により取得された毛の色及び肌の色に基づいて、前記照射部により照射する光を制御する制御部と
を備えることを特徴とする光照射装置。
【請求項２】
前記制御部は、光のエネルギー密度、照射時間、及び、波長を制御することを特徴とする請求項１に記載の光照射装置。
【請求項３】
前記制御部は、ユーザの操作を検出し、当該検出した操作に応じて、前記皮膚に照射される光の波長を選択する光学フィルタを切り替えることを特徴とする請求項２に記載の光照射装置。
【請求項４】
前記取得部は、毛の色に応じて交換可能なフィルタと、当該フィルタの保持部と、当該保持部に嵌合したフィルタの種類が判別可能な判別部とを含む入力部であることを特徴とする請求項３に記載の光照射装置。
【請求項５】
前記取得部は、ユーザにより選択可能な光を照射する目的を取得し、
前記制御部は、前記取得部により取得された毛の色及び肌の色に加えて、前記選択された目的に基づいて、前記照射部により照射する光を制御すること
を特徴とする請求項１に記載の光照射装置。
【請求項６】
前記取得部は、毛の太さ又は密度を取得し、
前記制御部は、前記取得部により取得された毛の太さ又は密度に基づいて、前記照射部により照射する光を制御すること
を特徴とする請求項１に記載の光照射装置。
【発明の詳細な説明】
【技術分野】
【０００１】
本発明は、皮膚に光を照射する光照射装置に関する。
【背景技術】
【０００２】
毛の成長を調整できる光照射装置としては、例えば下記の特許文献１，２に記載された技術が知られている。特許文献１には、体毛の検出データに基づき、脱毛用の光を照射することが記載されている。特に、この特許文献１には、体毛の有無によって光照射をするかどうかを判断している。
【先行技術文献】
【特許文献】
【０００３】
【特許文献１】特開２００６−１４９８４７号公報
【特許文献２】特開２００６−１４９４８９号公報
【発明の概要】
【発明が解決しようとする課題】
【０００４】
上述した毛の光照射装置において、適切な光の照射エネルギーや波長は、毛の色、肌の色によって異なる。しかし、ユーザやオペレータの判断によって、照射エネルギーや波長を設定すると、所望の効果が得られない場合があった。
【０００５】
そこで、本発明は、上述した実情に鑑みて提案されたものであり、毛の色に応じて適切な光調整を行って皮膚に光照射を行うことができる光照射装置を提供することを目的とする。
【課題を解決するための手段】
【０００６】
本発明の第１の態様に係る光照射装置は、皮膚に光を照射する照射部と、毛の色及び肌の色を取得する取得部と、前記取得部により取得された毛の色及び肌の色に基づいて、前記照射部により照射する光を制御する制御部とを備えることを特徴とするものである。
【０００７】
本発明の第２の態様に係る光照射装置は、上記第１の態様の光照射装置に対し、前記制御部は、光のエネルギー密度、照射時間、及び、波長を制御することを特徴とする。
【０００８】
本発明の第３の態様に係る光照射装置は、上記第２の態様の光照射装置に対し、前記制御部は、ユーザの操作を検出し、当該検出した操作に応じて、前記皮膚に照射される光の波長を選択する光学フィルタを切り替えることを特徴とする。
【０００９】
本発明の第４の態様に係る光照射装置は、上記第３の態様の光照射装置に対し、前記取得部は、毛の色に応じて交換可能なフィルタと、当該フィルタの保持部と、当該保持部に嵌合したフィルタの種類が判別可能な判別部とを含む入力部であることを特徴とする。
【００１０】
本発明の第５の態様に係る光照射装置は、上記第１の態様の光照射装置に対し、前記取得部は、ユーザにより選択可能な光を照射する目的を取得し、前記制御部は、前記取得部により取得された毛の色及び肌の色に加えて、前記選択された目的に基づいて、前記照射部により照射する光を制御することを特徴とする。
【００１１】
本発明の第６の態様に係る光照射装置は、上記第１の態様の光照射装置に対し、前記取得部は、毛の太さ又は密度を取得し、前記制御部は、前記取得部により取得された毛の太さ又は密度に基づいて、前記照射部により照射する光を制御することを特徴とする。
【発明の効果】
【００１２】
本発明によれば、肌の色に応じて照射する光を制御することに加えて、毛の色に基づいて照射する光を制御するので、毛の色に応じて適切な光調整を行って皮膚に光照射を行うことができる。
【図面の簡単な説明】
【００１３】
【図１】本発明の実施形態として示す光照射型美容装置の内部構成を示す斜視図である。
【図２】本発明の実施形態として示す光照射型美容装置の外観構成を示す斜視図である。
【図３】本発明の実施形態として示す光照射型美容装置における照射検出部の構成を示す斜視図である。
【図４】本発明の実施形態として示す光照射型美容装置の機能的な構成を示すブロック図である。
【図５】毛の色及び波長と、光の吸収率との関係を示すグラフである。
【発明を実施するための形態】
【００１４】
以下、本発明の実施の形態について図面を参照して説明する。
【００１５】
本発明を適用した光照射型美容装置は、毛の色及び肌の色を取得し、当該取得された毛の色及び肌の色に基づいて、照射検出部１（照射部）により照射する光を制御するものである。これにより、光照射型美容装置は、光照射によって、主として抑毛効果を与える。この光照射型美容装置は、例えば図１及び図２に示すように構成される。図１は本発明を適用した光照射型美容装置の内部構成概観図を、図２は図１の光照射型美容装置の外観図を示す。
【００１６】
光照射型美容装置の本体は、ケース９で覆われている。このケース９は、上部と下部とに区分されている。ケース９の上部は、ユーザにより着脱可能に構成されている。また、ケース９の上部は、照射窓１０と一体として形成されている。これにより、光照射型美容装置は、照射窓１０により光学フィルタを構成し、当該光学フィルタをユーザに選択させることができる。
【００１７】
照射窓１０は、図１に示すような使用状態において、照射された光を透過して、皮膚面に当てる。また、照射窓１０は、皮膚面から反射された光を装置内部に取り込む。この照射窓１０は、例えば、透明フィルタ等で構成されている。照射窓１０は、後述するように、透過する波長を選択する光学フィルタ材料で構成されている。
【００１８】
光照射型美容装置のケース９の内部には、照射検出部１、照射検出部駆動基板２、接続ケーブル３、制御基板４、スイッチ５、処理ランプ６、接続ケーブル７等が内蔵されている。このケース９からは、スイッチ５及び処理ランプ６が露呈されている。
【００１９】
スイッチ５は、例えば押し釦として構成される。スイッチ５は、ケース９の外側に出ており、操作者によって押圧可能となっており、起動時にオン、脱毛処理時にオンにする。
【００２０】
また、スイッチ５は、毛の色によって複数回に亘り押圧操作されるものであっても良い。例えば、黒色、茶色、金色といった毛の色を巡回的に選択可能とするよう操作されるものであっても良い。
【００２１】
処理ランプ６は、ＬＥＤ等から構成されている。処理ランプ６は、点灯部分が外部から認識できるように、処理ランプ６の設置位置に該当するケースの一部分を透明にしたり、貫いたりしている。この処理ランプ６は、脱毛処理完了時等に点灯する。
【００２２】
照射検出部駆動基板２には、照射検出部１に設置されている発光素子の駆動を行うための発光素子駆動回路２５（図４参照）などが搭載されている。これらの回路と制御基板４とは接続ケーブル３で接続されている。
【００２３】
制御基板４は、主として各部の制御や演算、信号処理等を行うものである。この制御基板４には、図４に示すような制御部２１、電源部２２、記憶部２３等が設けられている。
【００２４】
制御部２１は、ＣＰＵ、ＰＬＤ、クロック回路等を含む。電源部２２は、バッテリー、レギュレータ、スイッチング電源等を含む。記憶部２３は、ＲＯＭやＲＡＭ等のメモリにより構成されている。
【００２５】
このような光照射型美容装置において、照射検出部１は、例えば図３に示すように検出器及び発光器が配置されている。図３の拡大図は、照射検出部１を上方向から見た模式図である。この照射検出部１は、発光器としての発光素子１１、検出器としての検出素子１２とを含む。
【００２６】
発光素子１１は、美肌効果が得られる短波長成分、抑毛効果が得られる長波長成分を含む光を発光可能なものである。例えば、発光素子１１としては、４００ｎｍ〜７００ｎｍといった波長範囲の光を発光できるものや、４００ｎｍ〜１２００ｎｍといった波長範囲の光を発光できるものが選択される。発光素子１１は、例えば、ＬＥＤ素子やＬＤ（レーザダイオード）素子等からなる。検出素子１２は、ＰＤ（フォトダイオード）等からなる。
【００２７】
発光素子１１と検出素子１２とは２次元状にマトリックス的に並べられている。すなわち、発光素子１１は、横方向に一列に配置されている。また、検出素子１２も、横方向に一列に配置されている。一列に並んだ発光素子１１と一列に並んだ検出素子１２とは隣接するよう配置されている。
【００２８】
このような光照射型美容装置は、発光素子１１によって光を発し、当該光の反射光を検出素子１２により受光する。これにより、光照射型美容装置は、検出素子１２によって検出した結果に基づいて制御基板４内の制御部２１が毛の色、皮膚の色を検出可能となっている。また、光照射型美容装置は、制御基板４の制御部２１によって、毛の色、皮膚の色をユーザの操作によって入力可能としている。なお、この光照射型美容装置は、毛の色及び皮膚の色を自動的に検出するか、ユーザの操作によって入力するかは特に限定されず、何れかの手法によって毛の色及び皮膚の色を取得できればよい（取得部）。
【００２９】
そして、この光照射型美容装置は、検出した毛の色及び皮膚の色に基づいて、照射検出部１から照射する光を制御する。特に、光照射型美容装置は、光のエネルギー密度、照射時間、及び、波長を制御して、抑毛効果を生じさせる。
【００３０】
この光照射型美容装置の機能的な構成は、例えば図４に示すようになる。この光照射型美容装置は、制御部２１、電源部２２、記憶部２３、フィルタ切換機構２４、発光素子駆動回路２５、を有する。この光照射型美容装置は、電源部２２から供給される電力によって、制御部２１、照射検出部１が駆動する。
【００３１】
制御部２１は、発光素子駆動回路２５を駆動して、照射検出部１の検出素子１２による検出データに従って、毛の色及び皮膚の色を判定する。又は、制御部２１は、スイッチ５の操作を入力して、毛の色及び皮膚の色を取得してもよい。更に、制御部２１は、毛の色と皮膚の色の一方を自動的に検出し、他方を操作によって入力してもよい。制御部２１は、取得した毛の色及び皮膚の色の情報を記憶部２３に記憶する。
【００３２】
記憶部２３には、毛の色及び皮膚の色に対応した、光のエネルギー密度、照射時間、及び、波長のデータが記憶されている。この光のエネルギー密度、照射時間、及び、波長は、予め実験等によって演算されて記憶部２３に記憶されたものである。この光のエネルギー密度、照射時間、及び、波長は、皮膚の色に加え毛の色に応じて光の波長を制御して、より毛の色及び皮膚の色の双方によって適切に光照射効果を得るようにしたものである。具体的には、毛の色及び皮膚の色は人種により様々な態様があるが、皮膚の色に加え毛の色でもより高い抑毛効果が得られるよう光照射を行える。
【００３３】
ここで、図５に示すように、毛の色に応じて、光の波長に応じた光の吸収率が異なる。図５によれば、金髪、黒毛ともに、短波長領域の４００ｎｍ付近における光の吸収率は高い。しかし、４００ｎｍから波長が高くなるほど、毛の色によって光の吸収率に差異が生ずる。ユーメラニンが多い黒毛は、長波長範囲の７００ｎｍの光であっても高い吸収率となる。一方、フェオメラニンが多い金髪は、７００ｎｍの光の吸収率は低い。更に、黒毛と金髪の中間の毛の色となると、７００ｎｍの光の吸収率は、黒毛の吸収率と金髪の吸収率との間の値となる。このように、７００ｎｍといった長波長範囲では、ユーメラニンとフェオメラニンの割合によって光の吸収率が変動する。
【００３４】
このような図５に示した毛の色に対する光吸収率の特性に基づき、光照射型美容装置は、肌の色のみならず、毛の色に基づいて皮膚に照射する光の波長を制御する。具体的には、光照射型美容装置は、肌の色が黒くなるほど、照射エネルギー密度及び照射時間を減らして、光照射による火傷等を回避する。これは、皮膚が黒いほど皮膚のメラニンによる光吸収が増すからである。この皮膚の色に基づく光制御に加え、光照射型美容装置は、毛の色が明るい色となるほど、短波長成分を多くする。すなわち、毛の色が茶色から金色となるほど、短波長成分を多くする。これにより、図５に示したように、毛の色が明るくなるほど長波長の光の吸収率が減るため、抑毛効果を発揮できる短波長成分を多くする。
【００３５】
以上のように、この光照射型美容装置によれば、肌の色に応じて照射エネルギー密度や照射時間を制御することに加えて、毛の色に基づいて照射する光の波長を制御できる。これにより、光照射型美容装置によれば、毛の色に応じて適切な光調整を行って皮膚に光照射を行うことができる。
【００３６】
例えば、人種によっては、皮膚の色が明るく、毛の色が明るいユーザがいる。このユーザの場合、光照射型美容装置は、フェオメラニンに吸収が高い短波長光を照射する。また、火傷等の危険性に関し、短波長光なので血管（ヘモグロビン）吸収が大であり、皮膚の色は明るいので皮膚のメラニン吸収は小となる。したがって、光照射型美容装置は、血管吸収による火傷が発生しない照射エネルギーに抑える必要がある。このために、光照射型美容装置は、選択した短波長光の波長に応じてエネルギー制御を行う。
【００３７】
具体的には、光照射型美容装置は、抑毛効果を目的とする光として、４００ｎｍ〜７００ｎｍのうち、４００ｎｍ付近の短波長を含む光を皮膚に照射できる。この短波長光は、血管吸収による発熱を引き起こす。したがって、光照射型美容装置によれば、短波長の光を、血管吸収による火傷等が生じない範囲で所定の照射エネルギー密度で短時間に亘って照射する。これにより、光照射型美容装置は、抑毛効果を発揮させても、火傷等を引き起こすことがない。
【００３８】
他の例としては、人種によっては、皮膚の色が白いが毛の色が黒いユーザがいる。このユーザの場合、光照射型美容装置は、皮膚の奥に入りやすい長波長光を照射する。また、火傷等の危険性に関し、長波長光なので血管（ヘモグロビン）吸収は小であり、皮膚の色は明るいので皮膚のメラニン吸収は小となる。したがって、光照射型美容装置は、他の皮膚の色と毛の色との組み合わせと比較して、最も光エネルギーを高くすることができる。光照射型美容装置は、選択した長波長光の波長に応じてエネルギー制御を行う。
【００３９】
具体的には、光照射型美容装置は、抑毛効果を目的とする光として、４００ｎｍ〜７００ｎｍのうち、７００ｎｍ付近の長波長を含む光を皮膚に照射できる。この長波長光は、白い皮膚による血管吸収、黒い毛によるメラニンの吸収による発熱を引き起こすことは少ない。したがって、光照射型美容装置によれば、長波長の光を、充分な抑毛効果が発揮されうるだけの所定の照射エネルギー密度及び時間に亘って照射可能である。これにより、光照射型美容装置は、高い抑毛効果を発揮させることができ、ユーザの満足度を高めることができる。
【００４０】
更に他の例としては、人種によっては、皮膚の色が黒く毛の色が暗いユーザがいる。このユーザの場合、光照射型美容装置は、皮膚の奥に入りやすい長波長光を照射する。また、火傷等の危険性に関し、長波長光なので血管（ヘモグロビン）吸収は小であり、皮膚の色が黒いので皮膚のメラニン吸収が大となる。したがって、光照射型美容装置は、皮膚メラニンの吸収による火傷が出ない照射エネルギーに抑える必要がある。このために、光照射型美容装置は、選択した長波長光を、皮膚色に応じたエネルギー制御を行う。
【００４１】
具体的には、光照射型美容装置は、抑毛効果を目的とする光として、４００ｎｍ〜７００ｎｍのうち、７００ｎｍ付近の長波長を含む光を皮膚に照射する。この光照射を行うと、長波長なので血管吸収は少ないが、黒い皮膚に対して皮膚メラニンによる発熱を引き起こしやすい。したがって、光照射型美容装置は、ユーザの皮膚色に応じて照射強度、時間等を制御して、照射エネルギーを制御する。したがって、光照射型美容装置によれば、長波長光を、皮膚メラニンの吸収による火傷等が生じない範囲で抑毛効果が発揮されるよう所定の照射エネルギー密度及び時間に亘って照射を行う。これにより、光照射型美容装置は、火傷等の不快感を与えることなく高い抑毛効果を発揮させることができ、ユーザの満足度を高めることができる。
【００４２】
更に他の例としては、人種によっては、皮膚の色が黒いが毛の色が明るいユーザがいる。このユーザの場合、光照射型美容装置は、フェオメラニンに吸収が高い短波長光を照射する。また、火傷等の危険性に関し、短波長光なので血管（ヘモグロビン）吸収が大であり、皮膚の色は黒いので皮膚のメラニン吸収も大となる。したがって、光照射型美容装置は、他の皮膚の色と毛の色との組み合わせと比較して、最も照射エネルギーを抑制する必要がある。このために、光照射型美容装置は、選択した短波長光の波長、皮膚の色に応じてエネルギー制御を行う。
【００４３】
具体的には、光照射型美容装置は、抑毛効果を目的とする光として、４００ｎｍ〜７００ｎｍのうち、４００ｎｍ付近の短波長を含む光を皮膚に照射する。この短波長光による光照射は、短波長なので血管吸収が大きく、且つ、黒い皮膚に対して皮膚メラニンによる発熱を引き起こす。したがって、光照射型美容装置によれば、短波長の光を、血管吸収と皮膚メラニンの吸収の双方による火傷等が生じない範囲で抑毛効果が発揮されるよう所定の照射エネルギー密度及び時間に亘って照射を行う。これにより、光照射型美容装置は、火傷等の不快感を与えることなく高い抑毛効果を発揮させることができ、ユーザの満足度を高めることができる。
【００４４】
以上のように、光照射型美容装置によれば、毛の色及び肌の色に基づいて、照射する光を適切に制御できる。すなわち、この光照射型美容装置は、毛の色及び肌の色に基づいて光のエネルギー密度、照射時間、及び、波長を制御でき、高い抑毛効果と火傷等の回避とを両立できる。
【００４５】
更に、この光照射型美容装置は、制御部２１の制御によって、スイッチ５に対するユーザの操作を検出し、当該検出した操作に応じて、皮膚に照射される光の波長を選択する光学フィルタを切り替えることができることが望ましい。具体的には、制御部２１は、スイッチ５の操作に応じて、選択された光の波長を認識し、当該認識した光の波長を透過する光学フィルタに切り換えるようフィルタ切換機構２４を制御する。フィルタ切換機構２４は、照射窓１０を自動的に交換することによって、ユーザが所望する波長を透過する光学フィルタに交換ができる。これにより、この光照射型美容装置によれば、ユーザに光学フィルタの交換する手間を与えることがない。
【００４６】
更に、この光照射型美容装置は、ケース９ごと交換可能としてもよい。この光照射型美容装置は、予め、透過する光の波長が異なる照射窓１０を備えた複数のケース９を用意しておく。この光学フィルタとしての照射窓１０は、毛の色に応じて交換可能なフィルタである。ユーザは、自身の毛の色と合ったケース９を選択すればよい。ケース９は、光照射型美容装置の下部側のケース９との保持部を備えて、当該下部側のケース９に嵌合される。そして、光照射型美容装置のフィルタ切換機構２４は、保持部に嵌合した光学フィルタ（照射窓１０）の種類を判別する（判別部）。フィルタ切換機構２４による光学フィルタの判別手法は、ケース９を取り付けたユーザのスイッチ５の操作であってもよく、取り付けられたケース９の形状等を検出するなどであってもよい。このような光照射型美容装置は、毛の色に応じてケース９（光学フィルタ、照射窓１０）を取り替えることで、毛の色を自動的に認識し、更に、当該毛の色に対応した照射エネルギー及び照射時間を制御できる。このように、光照射型美容装置によれば、光学フィルタを自動認識するため、設定の手間が省ける。
【００４７】
更に、この光照射型美容装置は、光照射の目的を取得できるようにしてもよい。例えば、制御部２１は、スイッチ５の操作を受け付け、光照射の目的を取得する（取得部）。制御部２１は、毛の色及び肌の色に加えて、取得された光照射の目的に基づいて、光照射を制御する。
【００４８】
具体的には、抑毛効果を目的とする場合には、上述したように、毛の色及び肌の色に基づいて所定の照射エネルギー密度における照射時間を制御する。他の目的としては、美肌効果が挙げられる。美肌効果を目的とする場合には、照射する光の波長を短波長成分を含むようにし、当該短波長成分を含む光の照射時間を制御する。このとき、制御部２１は、肌の色が白いほど、短波長成分を含む光の照射時間を所定時間より短くする。これにより、制御部２１は、火傷等の回避を図りつつ、美肌効果が得られるように短波長成分を含む光を皮膚に照射できる。このように、光照射型美容装置は、白人〜黒人の美肌用、黒髪〜金髪の抑毛用と、それぞれに適した照射条件は異なるため、より効果的な光照射を行うことができる。
【００４９】
更に、光照射型美容装置は、照射検出部１によってユーザの毛の太さ又は密度を取得してもよい（取得部）。このとき、制御部２１は、照射検出部１により検出されたユーザの毛の太さ又は密度に基づいて照射検出部１を制御して、照射する光を制御してもよい。
【００５０】
制御部２１は、毛の太さが太いほど、長波長成分を多く含むように変更する。これは、毛の太さが太いほどによる光吸収が多くなり、皮膚まで光が到達しにくくなる傾向があり、より皮膚に光を届けるように長波長の光を照射する。また、制御部２１は、照射時間を短く、且つ、照射エネルギー密度を高くして、確実に皮膚まで光が到達するようにする。一方、例えば産毛のように毛の太さが非常に細い場合、制御部２１は、抑毛効果を低減させて美肌効果を高めるため、美肌効果に適した短波長成分を多く含む光を照射する。
【００５１】
更に、毛の密度が高いほど、制御部２１は、照射時間を短くする。これは、毛の密度が高いほど、毛による光吸収が多くなるため、光照射範囲における温度上昇が多くなる。したがって、光照射型美容装置は、ユーザに与える熱感や火傷の防止のために、光の照射時間を短くする。一方、毛がない場合、制御部２１は、抑毛効果を低減させて美肌効果を高めるため、美肌効果に適した短波長成分を多く含む光を照射する。また、制御部２１は、皮膚の浅い箇所に光照射効果を作用させるため、照射エネルギー密度を低く、照射時間を長くする。これにより、この光照射型美容装置は、熱感や火傷等の回避を行うとともに、美肌効果を与えることができる。
【００５２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００５３】
１  照射検出部（照射部、取得部）
５  スイッチ（入力部）
１０  照射窓（光学フィルタ）
１１  発光素子（照射部）
１２  検出素子（取得部）
２１  制御部
２２  電源部
２３  記憶部
２４  フィルタ切換機構
２５  発光素子駆動回路（照射部）
【図１】
2013126485.tif 000003
【図２】
2013126485.tif 000004
【図３】
2013126485.tif 000005
【図４】
2013126485.tif 000006
【図５】
2013126485.tif 000007